(57)【要約】【課題】  昇降路内のスペース効率を向上させることのできるエレベータ装置並びにエレベータ昇降路の形成方法を得る。【解決手段】  レール固定用鉄筋７が埋設され、昇降路１の壁を構成した建築躯体２と、レール固定用鉄筋７に固定されたガイドレール３と、ガイドレール３に案内され、昇降路１内を昇降するエレベータかごとを備える。また、ガイドレール３は、その背面部でレール固定用鉄筋７に直接固定されている。また、隣接する複数の単位ガイドレール３ａの端部は、目板８により結合されている。【選択図】      図２
2005187112.tif 000002
【特許請求の範囲】
【請求項１】
レール固定用鉄筋が埋設され、昇降路壁を構成した建築躯体と、
前記レール固定用鉄筋に固定されたガイドレールと、
前記ガイドレールに案内され、昇降路内を昇降するエレベータかごと、
を備えたことを特徴とするエレベータ装置。
【請求項２】
前記ガイドレールは、背面部で前記レール固定用鉄筋に直接固定されていることを特徴とする請求項１に記載のエレベータ装置。
【請求項３】
前記ガイドレールは、複数本の単位ガイドレールを備え、
前記単位ガイドレールの少なくとも一本が、前記レール固定用鉄筋に固定されていることを特徴とする請求項１または２に記載のエレベータ装置。
【請求項４】
隣接する複数の単位ガイドレールの端部が目板により結合されていることを特徴とする請求項３に記載のエレベータ装置。
【請求項５】
前記ガイドレールを取り付けるレール当接面を有し、前記レール固定用鉄筋に固定されたレール支持台を備え、
前記ガイドレールは、前記レール支持台を介して前記レール固定用鉄筋に固定されていることを特徴とする請求項１に記載のエレベータ装置。
【請求項６】
前記レール支持台は、前記レール固定用鉄筋に直接固定されていることを特徴とする請求項５に記載のエレベータ装置。
【請求項７】
前記ガイドレールは、複数本の単位ガイドレールを備え、
前記単位ガイドレールの少なくとも一本が、前記レール支持台を介して前記レール固定用鉄筋に固定されていることを特徴とする請求項５または６に記載のエレベータ装置。
【請求項８】
前記レール支持台は、単位ガイドレールを前記レール固定用鉄筋に固定させる部材であるとともに、隣接する複数の単位ガイドレールの端部を結合させる部材であることを特徴とする請求項７に記載のエレベータ装置。
【請求項９】
前記建築躯体内に防振材が配設されていることを特徴とする請求項１〜８のいずれかに記載のエレベータ装置。
【請求項１０】
エレベータかごの昇降を案内するガイドレールと固定されたレール固定用鉄筋が埋設された建築躯体により構成されたエレベータ昇降路の形成方法であって、
前記建築躯体内に埋設される補強用鉄筋を組み上げる鉄筋組み上げ手順と、
前記レール固定用鉄筋と前記補強用鉄筋とを覆うように配置されたコンクリート成型用の型内にコンクリートを流し込むコンクリート成型手順とを備えたことを特徴とするエレベータ昇降路の形成方法。
【請求項１１】
前記ガイドレールは、複数本の単位ガイドレールで構成され、当該単位ガイドレールの少なくとも一本が前記レール固定用鉄筋と固定されており、
前記レール固定用鉄筋に固定された前記単位ガイドレールを含む複数本の単位ガイドレールを積み上げるレール積み上げ手順を備えたことを特徴とする請求項１０に記載のエレベータ昇降路の形成方法。
【請求項１２】
エレベータかごの昇降を案内するガイドレールを取り付けるためのレール当接面を有するレール支持台と固定されたレール固定用鉄筋が埋設された建築躯体により構成されるエレベータ昇降路の形成方法であって、
前記建築躯体内に埋設される補強用鉄筋を組み上げる鉄筋組み上げ手順と、
前記レール固定用鉄筋と前記補強用鉄筋とを覆うように配置されたコンクリート成型用の型内にコンクリートを流し込むコンクリート成型手順とを備えたことを特徴とするエレベータ昇降路の形成方法。
【請求項１３】
エレベータかごの昇降を案内するガイドレールを取り付けるためのレール当接面を有するレール支持台と固定されたレール固定用鉄筋が埋設された建築躯体により構成されるエレベータ昇降路の形成方法であって、
前記レール当接面を利用して、前記建築躯体のコンクリートを成型用の型を固定した後、当該コンクリートの成型を行うことを特徴とするエレベータ昇降路の形成方法。
【発明の詳細な説明】
【技術分野】
【０００１】
この発明は、エレベータ装置並びにエレベータ昇降路の形成方法に関する。
【背景技術】
【０００２】
従来、鉄筋コンクリート構造（ＲＣ構造）や壁式鉄筋コンクリート構造（ＰＣ構造）の建築物に設置されるエレベータでは、ガイドレールは、各ガイドレール間を結合する目板部で、２つのＬ字状のレールブラケット（Ｌアングル片）を介して建築躯体に固定されている（例えば、特許文献１参照）。
【０００３】
【特許文献１】特開平１０−２９７８４２号公報
【発明の開示】
【発明が解決しようとする課題】
【０００４】
上記のように構成された従来のエレベータ装置では、ガイドレールの背面側には、建築躯体との間にレールブラケットを設置するスペースが必要となる。このレールブラケットの設置スペースは昇降路の全高に及ぶデッドスペースとなり、機器干渉の関係上、このスペースを有効に利用できないという問題点があった。また、従来の方法では、ガイドレール据付け時に、アンカーボルトの固定、ブラケットの溶接、レール立てなどの作業が伴うという作業面での課題も有していた。
【０００５】
この発明は、以上のような問題点を解決するためになされたもので、昇降路内のスペース効率を向上させることのできるエレベータ装置並びにエレベータ昇降路の形成方法を提供することを目的とする。
【課題を解決するための手段】
【０００６】
この発明のエレベータ装置は、レール固定用鉄筋が埋設され、昇降路壁を構成した建築躯体と、レール固定用鉄筋に固定されたガイドレールと、ガイドレールに案内され、昇降路内を昇降するエレベータかごとを備えたものである。
【０００７】
また、この発明のエレベータ昇降路の形成方法は、エレベータかごの昇降を案内するガイドレールと固定されたレール固定用鉄筋が埋設された建築躯体により構成されたエレベータ昇降路の形成方法であって、建築躯体内に埋設される補強用鉄筋を組み上げる鉄筋組み上げ手順と、レール固定用鉄筋と補強用鉄筋とを覆うように配置されたコンクリート成型用の型内にコンクリートを流し込むコンクリート成型手順とからなるものである。
【発明の効果】
【０００８】
この発明のエレベータ装置は、レール固定用鉄筋が埋設され、昇降路壁を構成した建築躯体と、レール固定用鉄筋に固定されたガイドレールと、ガイドレールに案内され、昇降路内を昇降するエレベータかごとを備えたので、ガイドレールを建築躯体に取り付けるためのレールブラケットなどの機器を用いることなく、ガイドレールを建築躯体により支持することができる。このため、本発明によれば、昇降路内のスペース効率を向上させることができる。
【０００９】
また、この発明のエレベータ昇降路の形成方法は、エレベータかごの昇降を案内するガイドレールと固定されたレール固定用鉄筋が埋設された建築躯体により構成されたエレベータ昇降路の形成方法であって、建築躯体内に埋設される補強用鉄筋を組み上げる鉄筋組み上げ手順と、レール固定用鉄筋と補強用鉄筋とを覆うように配置されたコンクリート成型用の型内にコンクリートを流し込むコンクリート成型手順とからなるので、ガイドレールが固定されたレール固定用鉄筋と補強用鉄筋とを埋設したコンクリート壁として建築躯体を完成させた後に、アンカーボルトの固定、ブラケットの溶接、レール立てなどのガイドレール据付け作業を行う必要なしに、ガイドレールを設置することができる。
【発明を実施するための最良の形態】
【００１０】
以下に図面を参照してこの発明の実施の形態について説明する。尚、各図において、同一または相当する部分には同一の符号を付してその説明を簡略化ないし省略する。
【００１１】
実施の形態１．
図１は、この発明の実施の形態１のエレベータ装置を示す平面図である。
図１において、昇降路１の壁は、建築躯体２により構成されている。昇降路１内には、一対のガイドレール３に案内されて昇降路１内を昇降するエレベータかご４が配置されている。一対のガイドレール３は、エレベータかご４の出入口４ａが設けられたかご出入口面と直交するかご４の両側面に対向する建築躯体２に沿ってそれぞれ立設されている。つまり、一対のガイドレール３は、昇降路１の垂直方向に配置されており、また、これらのレール間にエレベータかご４を介在させ、互いに対向して配置されている。
【００１２】
図２は、この発明の実施の形態１のエレベータ装置の要部を拡大した断面図であり、図２（Ａ）は、昇降路の上方から見たガイドレール固定部の横断面図、図２（Ｂ）は、ガイドレールの側方から見たガイドレール固定部の縦断面図を示している。
図２に示すように、建築躯体２は、その内部に補強用鉄筋５が埋設されたコンクリート壁６として形成されている。さらに、建築躯体２内には、ガイドレール３を固定するためのレール固定用鉄筋７が、ガイドレール３の背面部に、昇降路１の垂直方向に直線状となるような向きで埋設されている。ガイドレール３は、複数本の単位ガイドレール３ａからなり、複数本の単位ガイドレール３ａを積み上げるようにして構成されている。単位ガイドレール３ａの端部には、目板８を取り付けるための目板取付穴（図示せず）が設けられている。隣接する単位ガイドレール３ａの端部間は、その目板取付穴を用い、ボルト９およびナット１０で目板８と固定されることにより結合されている。また、それぞれの単位ガイドレール３ａは、レール固定用鉄筋７と一体で構成されている。すなわち、単位ガイドレール３ａは、目板８が取り付けられる両端部を除いたレール３ａの背面部に、レール固定用鉄筋７が、溶接などにより直接固定されている。尚、図２（Ａ）においては、建築躯体２内の補強用鉄筋５とレール固定用鉄筋７とは、離隔して配置されているが、これに限らずに溶接などにより接合してもよい。
【００１３】
以上説明した通り、本実施の形態１のエレベータ装置では、ガイドレール３にレール固定用鉄筋７を固定することにより、ガイドレール３を建築躯体２に取り付けるためのレールブラケットなどの機器を用いることなく、ガイドレール３を建築躯体２により直接支持することができる。このため、昇降路１の省スペース化を実現することができる。
【００１４】
次に、本実施の形態１のエレベータ昇降路の形成方法について説明する。まず、建築躯体２内に埋設される補強用鉄筋５を組み上げる。次いで、背面にレール固定用鉄筋７が固定された複数本の単位ガイドレール３ａを、隣接するレール３ａの端部で目板８により結合して積み上げる。そして、補強用鉄筋５とレール固定用鉄筋７とを組み上げた後、これらの鉄筋５、７の周辺をコンクリート成型用の型で覆い、その型内にコンクリートを流し込んで建築躯体２を形成する。このような状況で、建築躯体２を形成することにより、建築躯体２の完成後に、アンカーボルトの固定、ブラケットの溶接、レール立てなどの据付け作業を行う必要なしに、ガイドレールを設置することができる。
【００１５】
実施の形態２．
図３は、この発明の実施の形態２のエレベータ装置の要部を拡大した断面図である。図３（Ａ）は、昇降路の上方から見たガイドレール固定部の横断面図であり、図３（Ｂ）は、ガイドレールの側方から見たガイドレール固定部の縦断面図である。
上述した実施の形態１では、ガイドレール３は、その背面にレール固定用鉄筋７が一体となる構造で構成されている。これに対し、実施の形態２では、ガイドレールとその背面のレール固定用鉄筋とを分割した構造としている。以下、その構成について詳述する。
【００１６】
図２に示すように、本実施の形態２のエレベータ装置は、レール固定用鉄筋１１と一体に構成されたレール支持台１２を備えている。レール支持台１２は、昇降路１の垂直方向に直線状となるように形成されており、かつ、昇降路１の水平方向の断面が長方形断面で形成されている。また、レール支持台１２は、その長寸方向の長さが単位ガイドレール１３ａと同じ長さとなるように形成されている。レール支持台１２は、単位ガイドレール１３ａ毎にそれぞれ設けられており、各レール支持台１２の端部間は、断面Ｔ字状に形成された目板１４を介してボルト１５で結合されている。つまり、レール支持台１２は、ガイドレール１３の背面部において、ガイドレール１３の全長に渡って設けられている。また、レール支持台１２は、単位ガイドレール１３ａを固定するためのレール当接面１２ａを有している。そのレール当接面１２ａには、ボルト取付穴（図示せず）が形成されている。レール支持台１２のレール当接面１２ａは、建築躯体２の表面に対し、昇降路１側に突出して設置されている。単位ガイドレール１３ａは、そのボルト取付穴を用いて、レール支持台１２にボルト１６により固定されている。上述したレール固定用鉄筋１１は、レール支持台１２のレール当接面１２ａの背面に直に固定されている。尚、図３（Ａ）においては、建築躯体２内の鉄筋５とレール固定用鉄筋１１とは、離隔して配置されているが、これに限らずに溶接などにより接合してもよい。
【００１７】
ここで、上述した実施の形態１の構成のように、ガイドレールが建築躯体２に直接固定されている場合には、建築の倒れなどでガイドレールの据付け精度を欠く恐れがある。これに対し、本実施の形態２の構成では、ガイドレール１３とレール固定用鉄筋１１とが分割されている。このため、建築誤差などによりレール支持台１２が多少傾いていても、薄板（図示せず）をレール支持台１２と単位ガイドレール１３ａとの間に挿入することで、レールの曲がりや段差の調整を行うことが可能となり、ガイドレール１３の据付け精度を確保することができる。
【００１８】
次に、本実施の形態２のエレベータ昇降路の形成方法について説明する。まず、建築躯体２内に埋設される補強用鉄筋５を組み上げる。次いで、背面にレール固定用鉄筋１１が固定されたレール支持台１２を積み上げ、各レール支持台１２間の端部を目板１４により連結する。レール支持台１２が積み上げられた後は、鉄筋５とレール固定用鉄筋１１とを組み上げて、これらの鉄筋５、１１の周辺にコンクリート６を流し込んで建築躯体２を形成する。そして、建築躯体２が形成された後に、ガイドレール１３を搬入して、各単位ガイドレール１３ａを対応するレール支持台１２に固定する。
【００１９】
実施の形態３．
図４は、この発明の実施の形態３のエレベータ装置の要部を拡大した断面図である。図４（Ａ）は、昇降路の上方から見たガイドレール固定部の横断面図であり、図４（Ｂ）は、ガイドレールの側方から見たガイドレール固定部の縦断面図である。
上述した実施の形態２では、ガイドレール１３をレール固定用鉄筋１１に固定するためのレール支持台１２は、ガイドレール１３の全長に渡って設けられている。これに対し、実施の形態３では、単位ガイドレールの端部、あるいは単位ガイドレールを支持する必要がある場所にのみ、レール支持台を部分的に設けることとしている。以下、その構成について詳述する。
【００２０】
図４に示すように、本実施の形態３では、レール支持台１７は、隣接する単位ガイドレール１８ａの端部に設けられている。レール支持台１７のレール当接面１７ａは、建築躯体２の表面に対し、昇降路１側に突出して設置されている。単位ガイドレール１８ａは、レール端部において、レール支持台１７にボルト１９で結合されている。すなわち、レール支持台１７は、各単位ガイドレール１８ａをレール固定用鉄筋２０を介し、建築躯体２に固定するとともに、隣接する単位ガイドレール１８ａ同士を結合するための目板の機能を兼ねている。また、ガイドレール１８の固定が必要な場所のみにレール支持台１７を部分的に配置することとしたため、複数のレール支持台を連結するための目板を無くすことができ、上述した実施の形態２のように、目板の存在によって、レール固定用鉄筋を垂直方向で分断させる必要がなくなる。つまり、建築躯体２の施工時に、レール固定用鉄筋２０に固定されたレール支持台１７を他の補強用鉄筋５と別扱いで積み上げる必要がなく、鉄筋を組み上げる作業性を向上させることができる。換言すると、本実施の形態３では、レール支持台１７無しの状態でレール固定用鉄筋２０を組み上げた後に、レール支持台１７をレール固定用鉄筋２０の所定の場所に固定することも可能となる。また、ガイドレール１８の据付け時に、薄板（図示せず）をレール支持台１７と単位ガイドレール１８ａとの間に挿入することで、ガイドレール１８の据付け精度を確保することができる。尚、図４においては、建築躯体２内の補強用鉄筋５とレール固定用鉄筋２０とが固定されている例を示したが、これに限らずに離隔して配置してもよい。
【００２１】
図５は、この発明の実施の形態３のエレベータ装置の適用例を示す図である。図５（Ａ）は、昇降路の上方から見たガイドレール固定部の横断面図であり、図５（Ｂ）は、ガイドレールの側方から見たガイドレール固定部の縦断面図である。
図５は、エレベータの改修工事などにおいて、本実施の形態３のエレベータ装置のガイドレールが撤去された後に、改修前のエレベータよりサイズの小さなエレベータに対応したガイドレール２１を、建築躯体２を利用して据え付けた例を示している。図５において、改修後のガイドレール２１は、Ｌ字状のレールブラケット２２、２３を用いて、建築躯体２にアンカーボルト２４により結合されている。本実施の形態３では、レール支持台１７を、ガイドレール２８の全長に渡ってではなく、ガイドレール２８の固定が必要な場所のみに配置することとしている。このため、図５に示す構成のように、建築躯体２にアンカーボルト２４を取り付ける際に、アンカーボルト２４がレール支持台１７と干渉しないようにすることが可能となる。このように、本実施の形態３のエレベータ装置によれば、改修工事などが行われた場合に、レールブラケット２２、２３、および目板２５を使用したガイドレール据付け方法にも対応させることができる。
【００２２】
実施の形態４．
本実施の形態４では、建築躯体２に固体伝播するエレベータ機器の振動を減衰させるべく、上述した実施の形態３の構成に加え、建築躯体２内に防振材を配設した例を示す。図６および図７は、この発明の実施の形態４のエレベータ装置をガイドレールの側方から見たガイドレール固定部の縦断面図である。尚、実施の形態３の構成と同一部分については、同一の参照符号を付して、その詳細な説明を省略または簡略化する。
上述した実施の形態１〜３においては、ガイドレールを建築躯体に取り付けるためのレール固定用鉄筋を建築躯体内に埋設している。このため、エレベータ機器の振動がブラケットなどで減衰することなく、建築躯体に固体伝播することが考えられる。このような場合には、昇降路に近接する居室などで固体伝播騒音が発生する恐れがある。そこで、本実施の形態４では、ガイドレール１８を支持する建築躯体２のコンクリート６の内部に、振動を減衰させるための防振材を配設することとしている。防振材としては、発泡スチロールや防振ゴムなどを用いることができる。
【００２３】
図６は、防振材を鉄筋に対して均一に配設した例を示している。
図６に示すように、建築躯体２のコンクリート６の内部には、格子状に形成された鉄筋５、２０に対して、防振材２６が所定間隔毎に均一に配設されている。このため、エレベータ機器からガイドレール１８を介して建築躯体２に固体伝播する振動を効果的に減衰させることができる。
【００２４】
建築躯体２のコンクリート６内に配設される防振材の配置は、図６に示す例のような配置に限らず、例えば、以下の図７に示す例のような配置としてもよい。図７は、防振材をコンクリートに対して不均一に配設した例を示している。
図７に示すように、建築躯体２のコンクリート６の内部には、コンクリート６に対して、防振材２７が不均一な配置で封入されている。このように防振材２７を配置することによっても、エレベータ機器からガイドレール１８を介して建築躯体２に固体伝播する振動を効果的に減衰させることができる。
【００２５】
実施の形態５．
本実施の形態５では、上記の実施の形態３で説明したレール支持台１７を、建築躯体２の成形時に利用した例を示す。図８は、実施の形態３の建築躯体を成形する際の手法を説明するための昇降路の上方から見たガイドレール固定部の横断面図である。
剛構造の建築躯体２は、ベニヤ板などの押さえ板２８からなるコンクリート成型用の型に覆われた鉄筋５、２０の周辺にコンクリート６を流し込むことにより成型されるものである。本実施の形態５では、レール支持台１７に設けられたガイドレール１８固定用のボルト１９と、そのボルト１９を取り付けるためのレール当接面１７ａに形成されたボルト取付穴とを利用して、押さえ板２８を固定することとしている。尚、昇降路１と反対側の建築躯体２の壁面に用いられる押さえ板２９の固定方法は、従来の方法である。
【００２６】
レール支持台１７のレール当接面１７ａは、建築躯体２のコンクリート表面に対し、突出して設けられている。そこで、押さえ板２８は、コンクリート表面およびレール支持台１７のレール当接面１７ａに隙間なく密着するように、段付き形状で形成されている。このため、建築躯体２の成型時に、レール支持台１７のレール当接面１７ａやボルト取付穴がコンクリート６に埋もれることなく、そのうえ、容易に押さえ板２８の支持を行うことができる。
【００２７】
ところで、上述した実施の形態５においては、実施の形態３のレール支持台１７を利用して押さえ板２８を固定する例を示しているが、これに限らず、レール支持台１２がガイドレール１３の全長に渡って設けられた実施の形態２の構成において、レール支持台１２のレール当接面１２ａに設けられたボルト取付穴を利用して押さえ板を固定することとしてもよい。
【図面の簡単な説明】
【００２８】
【図１】この発明の実施の形態１のエレベータ装置を示す平面図である。
【図２】この発明の実施の形態１のエレベータ装置の要部を拡大した断面図である。
【図３】この発明の実施の形態２のエレベータ装置の要部を拡大した断面図である。
【図４】この発明の実施の形態３のエレベータ装置の要部を拡大した断面図である。
【図５】この発明の実施の形態３のエレベータ装置の適用例を示す図である。
【図６】この発明の実施の形態４のエレベータ装置をガイドレールの側方から見たガイドレール固定部の縦断面図であり、防振材を鉄筋に対して均一に配設した例を示す図である。
【図７】この発明の実施の形態４のエレベータ装置をガイドレールの側方から見たガイドレール固定部の縦断面図であり、防振材をコンクリートに対して不均一に配設した例を示す図である。
【図８】実施の形態３の建築躯体を成形する際の手法を説明するための昇降路の上方から見たガイドレール固定部の横断面図である。
【符号の説明】
【００２９】
１  昇降路、  ２  建築躯体、  ３、１３、１８  ガイドレール、  ４  エレベータかご、  ５  補強用鉄筋、  ６  コンクリート（壁）、  ７、１１、２０  レール固定用鉄筋、  ８、１４  目板、  １２、１７  レール支持台、  ２６、２７  防振材、  ２８、２９  押さえ板。
【図１】
2005187112.tif 000003
【図２】
2005187112.tif 000004
【図３】
2005187112.tif 000005
【図４】
2005187112.tif 000006
【図５】
2005187112.tif 000007
【図６】
2005187112.tif 000008
【図７】
2005187112.tif 000009
【図８】
2005187112.tif 000010